(57)【要約】【課題】バッテリーから供給される電力に瞬時電圧低下が発生した場合でも、電気機器の瞬時停止を抑制することができる電力供給システムを提供する。【解決手段】電気機器２０と、電気機器２０に直流で電力を供給するバッテリー１０とを備えた電力供給システム１であって、電気機器２０は、バッテリー１０と接続され電気機器を駆動する駆動回路２１と、駆動回路２１と並列にバッテリー１０と接続され駆動回路２１の作動を制御する制御回路２２と、バッテリー１０から供給される電力に瞬時電圧低下が発生する場合に、制御回路２２を作動するための電力を制御回路２２に供給する電力供給手段２３とを有する。【選択図】図１
2017093100.tif 000002
【特許請求の範囲】
【請求項１】
電気機器と、前記電気機器に直流で電力を供給するバッテリーとを備えた電力供給システムであって、
前記電気機器は、前記バッテリーと接続され前記電気機器を駆動する駆動回路と、前記駆動回路と並列に前記バッテリーと接続され前記駆動回路の作動を制御する制御回路と、前記バッテリーから供給される電力に瞬時電圧低下が発生する場合に、前記制御回路を作動するための電力を前記制御回路に供給する電力供給手段とを有する
電力供給システム。
【請求項２】
前記電力供給手段は、前記駆動回路と前記制御回路との接続点よりも前記制御回路側であって、前記制御回路と並列に接続されたコンデンサを含み、
前記制御回路は、前記駆動回路を作動するときに、前記制御回路を作動するために必要な電気量を前記バッテリーから前記コンデンサに充電させ、前記瞬時電圧低下が発生する場合に、前記コンデンサから電力を供給させる
請求項１に記載の電力供給システム。
【請求項３】
前記駆動回路内に、前記駆動回路の作動開始を制御する作動開始スイッチを有し、
前記制御回路は、前記駆動回路の立ち上がりを遅れさせるように前記作動開始スイッチを作動し、前記バッテリーから前記コンデンサに充電させる
請求項２に記載の電力供給システム。
【請求項４】
前記電力供給手段は、前記駆動回路と前記制御回路との接続点よりも前記制御回路側に設けられた昇圧回路であり、
前記昇圧回路は、前記瞬時電圧低下が発生する場合に、前記制御回路に電力を供給する
請求項１に記載の電力供給システム。
【請求項５】
前記電力供給手段は、前記駆動回路を作動するときに、前記駆動回路に供給する電流を定常運転時よりも小さくすることで、前記制御回路に電力を供給する
請求項１に記載の電力供給システム。
【請求項６】
電気機器と、前記電気機器に直流で電力を供給するバッテリーとを備えた電力供給システムであって、
前記電気機器は、前記電気機器を駆動する駆動回路と、前記駆動回路の作動を制御する制御回路とを有し、
前記バッテリーは２以上のバッテリーにより構成され、前記駆動回路に電力を供給する前記バッテリーと、前記制御回路に電力を供給する前記バッテリーとが別々である
電力供給システム。
【発明の詳細な説明】
【技術分野】
【０００１】
本発明は、バッテリーから電気機器に電力を供給する電力供給システムに関する。
【背景技術】
【０００２】
電気機器に電力を供給する技術として、バッテリーから直流で電力を供給する技術が知られている。電気機器を駆動するための入力電圧が直流である場合は、交流の場合に比べて効率が高くなるので、電気機器を低電圧で駆動することができる。そのため、直流で電力を供給する電力供給システムは、消費電力を抑えることができる。
【０００３】
この種の電力供給システムの一例として、特許文献１には、発電装置で発電した電気をバッテリーに蓄電し、そのバッテリーからコンプレッサーなどを有する電気機器に電力を供給する技術が開示されている。
【先行技術文献】
【特許文献】
【０００４】
【特許文献１】特開２０１０−１１９２２５号公報
【発明の概要】
【発明が解決しようとする課題】
【０００５】
しかし、特許文献１に開示されている電力供給システムでは、大きな負荷を有する電気機器を駆動し始めるとき、又は、運転中に突発的に過負荷がかかったときに、電気機器への突入電流により瞬時電圧低下が発生することがある。瞬時電圧低下が発生すると、電気機器が瞬時停止してしまい、例えば、電気機器内のタイマーがリセットされるなどして電気機器が誤動作を起こすことがある。
【０００６】
そこで、本発明は、電気機器の瞬時停止を抑制することのできる電力供給システムを提供する。
【課題を解決するための手段】
【０００７】
上記の課題を解決するための電力供給システムの一態様は、電気機器と、電気機器に直流で電力を供給するバッテリーとを備えた電力供給システムであって、電気機器は、バッテリーと接続され電気機器を駆動する駆動回路と、駆動回路と並列にバッテリーと接続され駆動回路の作動を制御する制御回路と、バッテリーから供給される電力に瞬時電圧低下が発生する場合に、制御回路を作動するための電力を制御回路に供給する電力供給手段とを有する。
【０００８】
また、上記の課題を解決するための電力供給システムの他の一態様は、電気機器と、電気機器に直流で電力を供給するバッテリーとを備えた電力供給システムであって、電気機器は、電気機器を駆動する駆動回路と、駆動回路の作動を制御する制御回路とを有し、バッテリーは２以上のバッテリーにより構成され、駆動回路に電力を供給するバッテリーと、制御回路に電力を供給するバッテリーとが別々である。
【発明の効果】
【０００９】
電気機器の瞬時停止を抑制することができる。
【図面の簡単な説明】
【００１０】
【図１】図１は、実施の形態１に係る電力供給システムの回路図である。
【図２】図２は、実施の形態１の変形例における電力供給システムの回路図である。
【図３】図３は、実施の形態２に係る電力供給システムの回路図である。
【図４】図４は、実施の形態３に係る電力供給システムの回路図である。
【図５】図５は、実施の形態４に係る電力供給システムの構成図である。
【図６】図６は、実施の形態５に係る電力供給システムの各構成要素の接続関係を示す図である。
【図７】図７は、実施の形態５の変形例における電力供給システムの各構成要素の接続関係を示す図である。
【発明を実施するための形態】
【００１１】
以下、実施の形態に係る電力供給システムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
また、以下の実施の形態において、「接続される」とは、電気的に接続されることを意味し、直接的に接続される場合だけでなく、他の電気素子等を介して間接的に接続される場合も含まれる。
【００１４】
（実施の形態１）
本実施の形態に係る電力供給システム１は、図１に示されるように、電気機器２０と、電気機器２０に直流で電力を供給するバッテリー１０とを備えている。
【００１５】
バッテリー１０は、電気機器２０の外部に設けられた二次電池である。バッテリー１０は、例えば、太陽光発電装置やＡＣ電源（商用交流電源）などを用いて蓄電される。蓄電された電気は、電気機器２０に直流で供給される。
【００１６】
本実施の形態における電気機器２０は、直流電圧が入力されることにより駆動する機器である。電気機器２０としては、例えば、冷暖房機、電子レンジ又は照明装置などが挙げられる。この電気機器２０は、電気機器２０の主駆動源（例えば、モータ）を駆動する駆動回路２１と、駆動回路２１の作動を制御する制御回路２２と、制御回路２２に電力を供給する電力供給手段２３とを有している。駆動回路２１及び制御回路２２は、互いに並列にバッテリー１０と接続されている。なお、電気機器２０を駆動する前は、駆動回路２１及び制御回路２２には電力が供給されていない。
【００１７】
駆動回路２１は、トランスＴと、トランスＴのＧＮＤ側に接続されているスイッチＱ１と、駆動回路２１の作動開始を制御する作動開始スイッチ２５（Ｓ１）とを有している。作動開始スイッチ２５は、駆動回路２１と制御回路２２とが並列接続されている接続点ｐのプラス側とトランスＴ（一次側）との間に設けられている。スイッチＱ１及び作動開始スイッチ２５は、制御回路２２によりＯＮ／ＯＦＦ動作が制御される。トランスＴの二次側には、電気機器２０の主駆動源等の比較的大きな負荷が接続される（図示省略）。
【００１８】
制御回路２２は、駆動回路２１の作動を制御する半導体素子を含む（図示省略）。なお、プラス側の接続点ｐと制御回路２２との間には、電流の逆流を防止するダイオードＤ１が設けられている。
【００１９】
電力供給手段２３は、バッテリー１０から供給される電力に瞬時電圧低下が発生する場合に、制御回路２２に電力を補助的に供給する手段である。電力供給手段２３としては、例えば、電解コンデンサなどのコンデンサ２４が用いられる。コンデンサ２４は、駆動回路２１と制御回路２２との接続点ｐ及びダイオードＤ１よりも制御回路２２側であって、制御回路２２と並列に接続されている。このコンデンサ２４には、瞬時電圧低下が発生した場合に制御回路２２を作動するために必要な電気量が充電される。コンデンサ２４の充電容量は、許容できる電圧低下時間に応じて適宜決定される。
【００２０】
ここで、電力供給システム１の回路動作について説明する。なお、瞬時電圧低下が発生する場合として、電気機器２０を駆動開始するときを例に挙げて説明する。
【００２１】
まず、電気機器２０を駆動開始する駆動指令を受けたときに、バッテリー１０から駆動回路２１及び制御回路２２に電力が供給される。その際、制御回路２２は駆動回路２１の立ち上がりを遅れさせる。具体的には、駆動回路２１の作動開始スイッチ２５を所定時間ＯＮせず、ＯＦＦ（開放）状態とする。これにより、バッテリー１０からの電力が駆動回路２１側に供給されず、制御回路２２側に供給される状況をつくり、コンデンサ２４に電気を充電させる。所定時間は、コンデンサ２４が制御回路２２を後に作動するために必要な電気量を、十分に蓄えることができる時間に決定される。この所定時間は、例えば、１秒間である。
【００２２】
次に、所定時間経過後、作動開始スイッチ２５をＯＮ（短絡）状態として駆動回路２１に電力を供給する。駆動回路２１側には負荷が設けられているので、このとき、バッテリー１０から供給される電力に瞬時電圧低下が発生する。しかし、本実施の形態では、すでに、制御回路２２の上記動作によりコンデンサ２４に十分な電気が充電させられているので、充電された電気を用いて制御回路２２に電力が補助供給される。
【００２３】
すなわち、本実施の形態に係る電力供給システム１では、コンデンサ２４を含む電力供給手段２３により、制御回路２２への電力供給が途切れないようになっている。その結果、制御回路２２の作動停止を抑制し、電気機器２０の瞬時停止を抑制することができる。
【００２４】
なお、上記では、電気機器２０を駆動開始するときの瞬時電圧低下を例に挙げて説明したが、本実施の形態は、定常運転しているときに突発的に発生する瞬時電圧低下にも適用できる。例えば、定常運転時の瞬時電圧低下を検知し、その検知情報をトリガーとして駆動回路２１の立ち上がりを遅れさせ、以降同様に回路動作を実行することで、電気機器２０の瞬時停止を抑制することができる。
【００２５】
また、本実施の形態は、１つのバッテリー１０を用いて、複数の電気機器２０に電力を供給する場合にも適用できる。例えば、１つの電気機器２０を駆動して瞬時電圧低下が発生したときに、瞬時電圧低下に関する情報を他の電気機器２０にも伝達し、伝達された情報をもとに他の電気機器２０にて同様な回路動作を実行すればよい。
【００２６】
図２は、電力供給システム１の変形例を示す回路図である。変形例における電力供給システム１Ａでは、駆動回路２１内の作動開始スイッチ２５（Ｓ１）としてＦＥＴ（電界効果トランジスタ）が用いられている。
【００２７】
この電力供給システム１Ａでは、電気機器２０を駆動開始するときに、作動開始スイッチ２５を用いて駆動回路２１内の電流を零から徐々に増やすように制御し、駆動回路２１の立ち上がりを遅れさせる。そして、この立ち上がりの遅れにより、制御回路２２側にあるコンデンサ２４に十分な電気が蓄えられるようにしている。そのため、瞬時電圧低下が起きた場合でもコンデンサ２４を含む電力供給手段２３から、制御回路２２へ電力が補助供給される。その結果、制御回路２２の作動停止を抑制し、電気機器２０の瞬時停止を抑制することができる。
【００２８】
（実施の形態２）
図３は、実施の形態２に係る電力供給システム１Ｂの回路図である。この電力供給システム１Ｂでは、電力供給手段２３として昇圧回路２６が用いられている。なお、電力供給手段２３として、昇圧回路２６を含む電源ＩＣを用いてもよい。
【００２９】
昇圧回路２６は、駆動回路２１と制御回路２２との接続点ｐ及びダイオードＤ１よりも制御回路２２側に設けられている。この昇圧回路２６は、ダイオードＤ１に接続されるコイルＬと、コイルＬと制御回路２２との間に設けられるダイオードＤ３と、コイルＬとダイオードＤ３との間において、制御回路２２と並列接続されるスイッチＱ２とを有する。スイッチＱ２は、図示しないオペアンプやコンパレータにより所定周波数（例えば、１０ＫＨｚ）で繰り返しＯＮ／ＯＦＦ動作するように構成されている。この昇圧回路２６の作動により、制御回路２２に電力が供給される。
【００３０】
なお、駆動回路２１の接続点ｐのプラス側とトランスＴとの間には、実施の形態１で示した作動開始スイッチ２５の代わりに、ダイオードＤ２が設けられている。
【００３１】
本実施の形態では、電気機器２０を駆動開始するときに瞬時電圧低下が発生しても、昇圧回路２６のコイルＬに蓄えられた磁気エネルギーにより制御回路２２側に電流が流れ、制御回路２２に電力が供給される。すなわち、昇圧回路２６により、制御回路２２への電力供給が途切れないようになっている。その結果、制御回路２２の作動停止を抑制し、電気機器２０の瞬時停止を抑制することができる。
【００３２】
また、本実施の形態では、作動開始スイッチ２５の代わりにダイオードＤ２を設けたことにより駆動回路２１の立ち上がりを遅れさせることなく、電気機器２０の瞬時停止を抑制することができる。
【００３３】
（実施の形態３）
図４は、実施の形態３に係る電力供給システム１Ｃの回路図である。この電力供給システム１Ｃでは、駆動回路２１を作動開始するときに、駆動回路２１に供給する電流を定常運転時よりも小さくしている。
【００３４】
この電力供給システム１Ｃには、接続点ｓｐと駆動回路２１との間に電流可変デバイス２７（電力供給手段２３に相当）が設けられている。電流可変デバイス２７としては、例えば、ＦＥＴ又は可変抵抗器などが挙げられる。
【００３５】
そして、電気機器２０を駆動開始するときに電流可変デバイス２７を制御することで、一時的に、駆動回路２１に供給する電流を定常運転時に供給する電流よりも小さくしている。また、駆動回路２１に供給する電流を一時的に小さくすることで、制御回路２２に十分な電力を供給している。なお、定常運転時とは、電気機器２０の主駆動源が駆動しているときを意味する。また、定常運転時よりも小さい電流とは、例えば、定常運転時の０％以上９９％以下の電流である。
【００３６】
本実施の形態では、電気機器２０を駆動開始するとき、すなわち、瞬時電圧低下が発生するような場合において、電流可変デバイス２７を用いて、駆動回路２１に供給する電流を小さくしている。これにより、電流の急激な変化を抑制し、駆動回路２１及び制御回路２２に供給される電力の電圧低下を抑制している。また、駆動回路２１に供給される電流を小さくすることで、制御回路２２に流れる電流を十分確保し、制御回路２２の作動停止を抑制している。これらの結果、電気機器２０の瞬時停止を抑制することができる。
【００３７】
（実施の形態４）
図５は、実施の形態４に係る電力供給システム１Ｄの構成図である。この電力供給システム１Ｄでは、バッテリー１０が２つのバッテリー１１、１２により構成されている。
【００３８】
本実施の形態における電気機器２０は、直流電圧が入力されることにより駆動する機器である。この電気機器２０は、電気機器２０の主駆動源を駆動する駆動回路２１と、駆動回路２１の作動を制御する制御回路２２とを有している。
【００３９】
駆動回路２１は、トランスと、トランスのＧＮＤ側に接続されているスイッチとを有している。スイッチは、制御回路２２によりＯＮ／ＯＦＦ動作を制御される。トランスの二次側には、比較的大きな負荷（例えば、モータ）が接続される（図示省略）。制御回路２２は、駆動回路２１の作動を制御する半導体素子を含む（図示省略）。
【００４０】
バッテリー１１、１２は、電気機器２０の外部に設けられた二次電池である。バッテリー１１は、駆動回路２１に接続され、駆動回路２１に電力を供給している。バッテリー１２は、制御回路２２に接続され、制御回路２２に電力を供給している。これらのバッテリー１１、１２のＧＮＤ（グランド）は共通接続されている。なお、これらバッテリー１１、１２の電圧値は同じであってもよいし、異なっていてもよい。また、電気機器２０に複数の駆動回路２１又は複数の制御回路２２がある場合は、それぞれの回路に１対１対応するように複数のバッテリー１１又は複数のバッテリー１２を設けてもよい。
【００４１】
本実施の形態に係る電力供給システム１Ｄでは、駆動回路２１に電力を供給するバッテリー１１と、制御回路２２に電力を供給するバッテリー１２とが別々となっている。これにより、駆動回路２１に電力を供給するバッテリー１１に電圧低下が発生した場合でも、制御回路２２に電力を供給するバッテリー１２を用いて制御回路２２を作動することができる。その結果、制御回路２２の作動停止を抑制し、電気機器２０の瞬時停止を抑制することができる。
【００４２】
（実施の形態５）
図６は、実施の形態５に係る電力供給システム１Ｅの各構成要素の接続関係を示す図である。バッテリー１０及び電気機器２０に関する形態は、実施の形態１に示す形態と同様である。本実施の形態では、バッテリー１０への蓄電方法を説明する。
【００４３】
電力供給システム１Ｅは、例えば、太陽光を利用した発電装置４１と、建物に敷設されているＡＣ電源（商用交流電源）４２とを用いてバッテリー１０に蓄電するように構成されている。ＡＣ電源４２とバッテリー１０の間には、ＡＣ−ＤＣコンバータ４３が設けられ、交流を直流に変換し蓄電している。
【００４４】
ここで、電力供給システム１Ｅを用いた蓄電方法の一例を説明する。
【００４５】
発電装置４１を用いて蓄電する通常の電力供給システムでは、天候などの事情により蓄電できない状況が長引くと、バッテリー１０の残容量が小さくなる。その場合、ＡＣ電源４２を用いて蓄電するが、バッテリー１０の最大容量まで蓄電してしまうと、発電装置４１による蓄電が可能となったときに蓄電できず、発電装置４１の有効活用を図れないという問題がある。
【００４６】
そのため、本実施の形態では、ＡＣ電源４２を用いるときに、バッテリー１０にフル充電せず空き容量を設けて蓄電し、発電装置４１による蓄電が可能となったとときに、発電装置４１を用いて蓄電するようにしている。
【００４７】
具体的には、バッテリー１０が所定の残容量になったときに、ＡＣ電源４２を用いて蓄電を開始する。この所定の残容量は、１日の使用電力をもとに適宜決定される。例えば、１日の使用電力が１．１５ｋＷである場合、バッテリー１０の残容量が、電力換算して１．１５ｋＷを下回ったときにＡＣ電源４２による蓄電を開始する。そして、蓄電中のバッテリー１０の残容量が所定のしきい値に達したときに、ＡＣ電源４２による蓄電を中断する。このしきい値は、例えば、１日の使用電力の容量換算値に、バッテリー１０の最大容量の１０％を加算した値とする。１日の使用電力が１．１５ｋＷ相当で、バッテリー１０の最大容量が３ｋＷとすると、しきい値は１．４５ｋＷとなる。そして、発電装置４１による蓄電が可能となったときに、発電装置４１を用いて３ｋｗまで蓄電する。
【００４８】
電力供給システム１Ｅにおいて、このような蓄電方法を採用することで、ＡＣ電源４２よりも発電装置４１を主力としてバッテリー１０に蓄電することができる。これにより、発電装置４１を有効活用するとともに、ＡＣ電源４２を供給源とする電力の消費を削減することができる。また、実施の形態１で述べたとおり、電気機器２０の瞬時停止を抑制することができる。
【００４９】
また、使用中のバッテリー１０の容量が所定の残容量に近くなった場合は、電気機器２０の使用電力を小さくするか、又は、ランプの点滅等で周囲に注意を促すことで、ＡＣ電源４２により蓄電する機会を少なくすることができる。これにより、ＡＣ電源４２を供給源とする電力の消費を削減することができる。
【００５０】
図７は、電力供給システム１Ｆの変形例を示す図である。この電力供給システム１Ｆでは、実施の形態４に示すように、２つのバッテリー１１、１２を用いて、電気機器２０の駆動回路２１と制御回路２２のそれぞれに電力を供給している。そして、それぞれのバッテリー１１、１２に、発電装置４１やＡＣ電源４２を用いて蓄電を行っている。この構成によれば、電気機器２０の瞬時停止を抑制するとともに、ＡＣ電源４２を供給源とする電力の消費を削減することができる。
【００５１】
（まとめ）
実施の形態１、２、３及び５に係る電力供給システム１、１Ａ、１Ｂ、１Ｃ及び１Ｅは、電気機器２０と、電気機器２０に直流で電力を供給するバッテリーとを備え、電気機器２０は、バッテリー１０と接続され電気機器２０を駆動する駆動回路２１と、駆動回路２１と並列にバッテリーと接続され駆動回路２１の作動を制御する制御回路２２と、バッテリー１０から供給される電力に瞬時電圧低下が発生する場合に、制御回路２２を作動するための電力を制御回路２２に供給する電力供給手段２３とを有する。
【００５２】
この構成によれば、バッテリー１０から供給される電力に瞬時電圧低下が発生する場合でも、制御回路２２の作動停止を抑制し、電気機器２０の瞬時停止を抑制することができる。
【００５３】
また、実施の形態１に示すように、電力供給手段２３は、駆動回路２１と制御回路２２との接続点ｐよりも制御回路２２側であって、制御回路２２と並列に接続されたコンデンサ２４を含み、制御回路２２は、駆動回路２１を作動するときに、制御回路２２を作動するために必要な電気量をバッテリー１０からコンデンサ２４に充電させ、瞬時電圧低下が発生する場合に、コンデンサ２４から電力を供給させるようにしてもよい。
【００５４】
この構成によれば、瞬時電圧低下が発生する場合でも、コンデンサ２４に充電した電気を用いて制御回路２２を作動することができる。その結果、制御回路２２の作動停止を抑制し、電気機器２０の瞬時停止を抑制することができる。
【００５５】
また、実施の形態１に示すように、駆動回路２１内に、駆動回路２１の作動開始を制御する作動開始スイッチ２５を有し、制御回路２２は、駆動回路２１の立ち上がりを遅れさせるように作動開始スイッチ２５を作動し、バッテリー１０からコンデンサ２４に充電させるようにしてもよい。
【００５６】
この構成によれば、瞬時電圧低下が発生する場合でも、駆動回路２１が立ち上がる前に、コンデンサ２４に充電することができ、充電した電気を用いて制御回路２２を作動することができる。その結果、制御回路２２の作動停止を抑制し、電気機器２０の瞬時停止を抑制することができる。
【００５７】
また、実施の形態２に示すように、電力供給手段２３は、駆動回路２１と制御回路２２との接続点ｐよりも制御回路２２側に設けられた昇圧回路２６であり、昇圧回路２６は、瞬時電圧低下が発生する場合に、制御回路２２に電力を供給するようにしてもよい。
【００５８】
この構成によれば、瞬時電圧低下が発生する場合でも、昇圧回路２６を用いて制御回路２２を作動することができる。その結果、制御回路２２の作動停止を抑制し、電気機器２０の瞬時停止を抑制することができる。
【００５９】
また、実施の形態３に示すように、電力供給手段２３は、駆動回路２１を作動するときに、駆動回路２１に供給する電流を定常運転時よりも小さくすることで、制御回路２２に電力を供給するようにしてもよい。
【００６０】
この構成によれば、駆動回路２１を作動するときに、バッテリー１０から供給される電力の電圧低下を発生しにくくすることができる。また、駆動回路２１に供給する電流を小さくすることで、制御回路２２に電力を供給することができる。これらの結果、制御回路２２の作動停止を抑制し、電気機器２０の瞬時停止を抑制することができる。
【００６１】
実施の形態４及び実施の形態５の変形例に係る電力供給システム１Ｄ及び１Ｆは、電気機器２０と、電気機器２０に直流で電力を供給するバッテリー１０とを備え、電気機器２０は、電気機器２０を駆動する駆動回路２１と、駆動回路２１の作動を制御する制御回路２２とを有し、バッテリー１０は２以上のバッテリー１１、１２により構成され、駆動回路２１に電力を供給するバッテリー１１と、制御回路２２に電力を供給するバッテリー１２とが別々である。
【００６２】
この構成によれば、駆動回路２１に電力を供給するバッテリー１１に瞬時電圧低下が発生した場合でも、制御回路２２に電力を供給するバッテリー１２を用いて制御回路２２を作動することができる。その結果、制御回路２２の作動停止を抑制し、電気機器２０の瞬時停止を抑制することができる。
【００６３】
以上、電力供給システムについて、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００６４】
例えば、バッテリーは、自動車に搭載されるバッテリーであってもよい。バッテリーは、二次電池に限られず、一次電池であってもよい。発電装置は、太陽光発電装置、風力発電装置、燃料電池による発電装置でもよい。
【００６５】
また、駆動回路は、実施の形態１又は２に示すように絶縁回路であってもよいし、実施の形態３に示すように非絶縁回路であってもよい。
【符号の説明】
【００６６】
１、１Ａ、１Ｂ、１Ｃ、１Ｄ、１Ｅ、１Ｆ  電力供給システム
１０、１１、１２  バッテリー
２０    電気機器
２１    駆動回路
２２    制御回路
２３    電力供給手段
２４    コンデンサ
２５    作動開始スイッチ
２６    昇圧回路
２７    電流可変デバイス
４１    発電装置
４２    ＡＣ電源
４３    ＡＣ−ＤＣコンバータ
ｐ      駆動回路と制御回路の接続点
【図１】
2017093100.tif 000003
【図２】
2017093100.tif 000004
【図３】
2017093100.tif 000005
【図４】
2017093100.tif 000006
【図５】
2017093100.tif 000007
【図６】
2017093100.tif 000008
【図７】
2017093100.tif 000009